(57)【要約】【課題】誤った商品での伝票計上を抑制することを、不要な発注を行うリスクも抑制しつつ実現することができるチェック装置、チェック方法及びチェックプログラムを提供することを課題とする。【解決手段】本実施形態では、オペレータ指定の商品コードと紐付けられている商品マスタから取得された売上仕入区分コードが受注のみ計上を意味するコードの場合は、オペレータ指定の受注区分コードを確認対象として決定し、当該売上仕入区分コードが受注計上と併せて仕入も計上を意味するコードの場合は、変更区分マスタ内の受注区分コードを確認対象として決定し、オペレータ指定の商品コードと紐付けられている商品マスタから取得された商品分類コードと確認対象として決定した受注区分コードの組み合わせがチェックマスタに存在するかを確認する。【選択図】図５
2018077710.tif 000002
【特許請求の範囲】
【請求項１】
制御部を備えたチェック装置であって、
前記制御部は、
商品を識別するための商品識別情報、商品の分類に関する商品分類情報、並びに売上のみを計上することを意味する区分である売上区分及び売上と併せて仕入も計上することを意味する区分である売上仕入区分のいずれかを格納しているマスタから取得された、オペレータにより指定された商品識別情報と紐付けられている区分が前記売上区分である場合は、オペレータにより指定された受注区分を確認対象として決定し、当該紐付けられている区分が前記売上仕入区分である場合は、所定の受注区分を確認対象として決定する決定手段と、
前記マスタから取得された、前記指定された商品識別情報と紐付けられている商品分類情報と前記決定手段で確認対象として決定した受注区分の組み合わせが、受注区分と商品分類情報の正しい組み合わせを格納しているマスタに存在するかを確認する確認手段と、
を備えたことを特徴とするチェック装置。
【請求項２】
制御部を備えた情報処理装置で実行されるチェック方法であって、
前記制御部で実行される、
商品を識別するための商品識別情報、商品の分類に関する商品分類情報、並びに売上のみを計上することを意味する区分である売上区分及び売上と併せて仕入も計上することを意味する区分である売上仕入区分のいずれかを格納しているマスタから取得された、オペレータにより指定された商品識別情報と紐付けられている区分が前記売上区分である場合は、オペレータにより指定された受注区分を確認対象として決定し、当該紐付けられている区分が前記売上仕入区分である場合は、所定の受注区分を確認対象として決定する決定ステップと、
前記マスタから取得された、前記指定された商品識別情報と紐付けられている商品分類情報と前記決定ステップで確認対象として決定した受注区分の組み合わせが、受注区分と商品分類情報の正しい組み合わせを格納しているマスタに存在するかを確認する確認ステップと、
を含むことを特徴とするチェック方法。
【請求項３】
制御部を備えた情報処理装置に実行させるためのチェックプログラムであって、
前記制御部に実行させるための、
商品を識別するための商品識別情報、商品の分類に関する商品分類情報、並びに売上のみを計上することを意味する区分である売上区分及び売上と併せて仕入も計上することを意味する区分である売上仕入区分のいずれかを格納しているマスタから取得された、オペレータにより指定された商品識別情報と紐付けられている区分が前記売上区分である場合は、オペレータにより指定された受注区分を確認対象として決定し、当該紐付けられている区分が前記売上仕入区分である場合は、所定の受注区分を確認対象として決定する決定ステップと、
前記マスタから取得された、前記指定された商品識別情報と紐付けられている商品分類情報と前記決定ステップで確認対象として決定した受注区分の組み合わせが、受注区分と商品分類情報の正しい組み合わせを格納しているマスタに存在するかを確認する確認ステップと、
を含むことを特徴とするチェックプログラム。
【発明の詳細な説明】
【技術分野】
【０００１】
本発明は、チェック装置、チェック方法及びチェックプログラムに関する。
【背景技術】
【０００２】
特許文献１には、エラー情報をユーザが容易に把握でき、且つ、訂正作業を効率的に行える入力チェック装置等が記載されている（例えば段落００２２，００２７及び図４等参照）。
【先行技術文献】
【特許文献】
【０００３】
【特許文献１】特開２００９−１０４２２９号公報
【発明の概要】
【発明が解決しようとする課題】
【０００４】
しかしながら、特許文献１に記載の技術を応用しても、誤った商品での伝票計上を抑制することを、不要な発注を行うリスクも抑制しつつ実現することは困難である、という問題点があった。
【０００５】
本発明は、上記問題点に鑑みてなされたものであって、受注区分と商品分類の組み合わせが正しいかを判断するにあたり、オペレータ指定の商品が受注時に発注も行うものか受注のみ行うものかを判断することで、誤った商品での伝票計上を抑制することを、不要な発注を行うリスクも抑制しつつ実現することができるチェック装置、チェック方法及びチェックプログラムを提供することを目的とする。
【課題を解決するための手段】
【０００６】
上述した課題を解決し、目的を達成するために、本発明に係るチェック装置は、制御部を備えたチェック装置であって、前記制御部は、商品を識別するための商品識別情報、商品の分類に関する商品分類情報、並びに売上のみを計上することを意味する区分である売上区分及び売上と併せて仕入も計上することを意味する区分である売上仕入区分のいずれかを格納しているマスタから取得された、オペレータにより指定された商品識別情報と紐付けられている区分が前記売上区分である場合は、オペレータにより指定された受注区分を確認対象として決定し、当該紐付けられている区分が前記売上仕入区分である場合は、所定の受注区分を確認対象として決定する決定手段と、前記マスタから取得された、前記指定された商品識別情報と紐付けられている商品分類情報と前記決定手段で確認対象として決定した受注区分の組み合わせが、受注区分と商品分類情報の正しい組み合わせを格納しているマスタに存在するかを確認する確認手段と、を備えたことを特徴とする。
【０００７】
本発明に係るチェック方法は、制御部を備えた情報処理装置で実行されるチェック方法であって、前記制御部で実行される、商品を識別するための商品識別情報、商品の分類に関する商品分類情報、並びに売上のみを計上することを意味する区分である売上区分及び売上と併せて仕入も計上することを意味する区分である売上仕入区分のいずれかを格納しているマスタから取得された、オペレータにより指定された商品識別情報と紐付けられている区分が前記売上区分である場合は、オペレータにより指定された受注区分を確認対象として決定し、当該紐付けられている区分が前記売上仕入区分である場合は、所定の受注区分を確認対象として決定する決定ステップと、前記マスタから取得された、前記指定された商品識別情報と紐付けられている商品分類情報と前記決定ステップで確認対象として決定した受注区分の組み合わせが、受注区分と商品分類情報の正しい組み合わせを格納しているマスタに存在するかを確認する確認ステップと、を含むことを特徴とする。
【０００８】
本発明に係るチェックプログラムは、制御部を備えた情報処理装置に実行させるためのチェックプログラムであって、前記制御部に実行させるための、商品を識別するための商品識別情報、商品の分類に関する商品分類情報、並びに売上のみを計上することを意味する区分である売上区分及び売上と併せて仕入も計上することを意味する区分である売上仕入区分のいずれかを格納しているマスタから取得された、オペレータにより指定された商品識別情報と紐付けられている区分が前記売上区分である場合は、オペレータにより指定された受注区分を確認対象として決定し、当該紐付けられている区分が前記売上仕入区分である場合は、所定の受注区分を確認対象として決定する決定ステップと、前記マスタから取得された、前記指定された商品識別情報と紐付けられている商品分類情報と前記決定ステップで確認対象として決定した受注区分の組み合わせが、受注区分と商品分類情報の正しい組み合わせを格納しているマスタに存在するかを確認する確認ステップと、を含むことを特徴とする。
【発明の効果】
【０００９】
本発明によれば、受注区分と商品分類の組み合わせが正しいかを判断するにあたり、オペレータ指定の商品が受注時に発注も行うものか受注のみ行うものかを判断することで、誤った商品での伝票計上を抑制することを、不要な発注を行うリスクも抑制しつつ実現することができるという効果を奏する。
【図面の簡単な説明】
【００１０】
【図１】図１は、受注入力装置の構成の一例を示すブロック図である。
【図２】図２は、取引区分マスタ、商品マスタ及び店舗受注入力画面の一例を示す図である。
【図３】図３は、変更区分マスタの一例を示す図である。
【図４】図４は、チェックマスタの一例を示す図である。
【図５】図５は、入力チェック処理の一例を示すフローチャートである。
【発明を実施するための形態】
【００１１】
本発明の実施形態を図面に基づいて詳細に説明する。なお、本発明は本実施形態により限定されるものではない。
【００１２】
［１．構成］
本発明を含む本実施形態に係る受注入力装置の構成の一例について、図１を参照して説明する。図１は、受注入力装置の構成の一例を示すブロック図である。
【００１３】
受注入力装置１００は、受注入力機能（アプリケーションソフト）がインストールされている市販のデスクトップ型パーソナルコンピュータである。なお、受注入力装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００１４】
受注入力装置１００は、制御部１０２と通信インターフェース部１０４と記憶部１０６と入出力インターフェース部１０８と、を備えている。受注入力装置１００が備えている各部は、任意の通信路を介して通信可能に接続されている。
【００１５】
通信インターフェース部１０４は、ルータ等の通信装置及び専用線等の有線又は無線の通信回線を介して、受注入力装置１００をネットワーク３００に通信可能に接続する。通信インターフェース部１０４は、他の装置と通信回線を介してデータを通信する機能を有する。ここで、ネットワーク３００は、受注入力装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。なお、後述する各種マスタ等のデータは、例えばサーバ２００に格納されてもよい。
【００１６】
入出力インターフェース部１０８には、入力装置１１２及び出力装置１１４が接続されている。出力装置１１４には、モニタ（家庭用テレビを含む）の他、スピーカやプリンタを用いることができる。入力装置１１２には、キーボード、マウス、及びマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。
【００１７】
記憶部１０６には、各種のデータベース、テーブル、及びファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、及び光ディスク等を用いることができる。
【００１８】
記憶部１０６は、取引区分マスタ１０６ａと、商品マスタ１０６ｂと、変更区分マスタ１０６ｃと、チェックマスタ１０６ｄと、を含む。
【００１９】
取引区分マスタ１０６ａは、例えば、データ区分と取引区分を項目として有する図２に示すテーブルである。項目「データ区分」では、例えば受注や発注、売上、仕入、移動などの文字列を管理する。項目「データ区分」は、伝票種類に応じた大きな括りを管理するためのものである。
【００２０】
項目「取引区分」では、例えば、項目「データ区分」で受注という文字列を管理している場合、呉服受注や加工受注、コース受注、学費・教材・物販受注、組紐特別受注、組紐作品受注、売上仕入（※発注も併せて行う受注であることを意味する）などの文字列（受注区分名）、及び、各文字列に対し割り当てられたコード（受注区分コード）を管理する。項目「取引区分」は、伝票種類を細分化した括り（データ区分に対しユーザごとに設定可能な括り）を管理するためのものである。
【００２１】
図１に戻り、商品マスタ１０６ｂは、例えば、商品コードと商品名と在庫管理不要フラグと売上仕入区分と商品分類とを項目として有する図２に示すテーブルである。項目「商品コード」では、例えば商品コードを管理する。項目「商品名」では、例えば商品名を管理する。ここで、本実施形態では、商品を、役務（サービス）を含む広義の意味で用いるものとする。また、商品は、本実施形態で挙げる呉服に限らず、例えば家具などでよい。
【００２２】
項目「在庫管理不要フラグ」では、例えば、「在庫管理する」や「在庫管理しない」などの文字列、及び、各文字列に対し割り当てられた数値（例えば、在庫管理することを意味する数値０や在庫管理しないことを意味する数値１など）を管理する。項目「在庫管理不要フラグ」は、システム上で在庫管理する商品か否かを設定するためのものである。例えば、配送費を伝票明細として入力するが在庫管理は不要の場合は、項目「在庫管理不要フラグ」では、在庫管理しないことを意味する数値１及び「在庫管理しない」という文字列を管理すればよい。
【００２３】
項目「売上仕入区分」では、例えば、売上仕入や売上のみ（※受注のみを行うことを意味する）などの文字列、及び、各文字列に対し割り当てられたコード（例えば、受注計上時に併せて発注も計上することを意味する数値０や受注のみを計上することを意味する数値１など）を管理する。項目「売上仕入区分」は、受注計上時に併せて発注も計上するか否かを設定するためのものである。例えば、受託品のように売上時に仕入も計上させる場合は、項目「売上仕入区分」では、受注計上時に併せて発注も計上することを意味する数値０及び売上仕入という文字列を管理すればよい。
【００２４】
項目「商品分類」では、例えば、呉服や付属品、加工、コース、学費、教材、組紐特注品、組紐作品、化粧品、その他物販、物販などの文字列（商品分類名）、及び、各文字列に対し割り当てられたコード（商品分類コード）を管理する。項目「商品分類」は、例えば、商品に対する属性情報（ユーザが任意に設定可能な、商品を括る単位）を管理するためのものである。
【００２５】
図１に戻り、変更区分マスタ１０６ｃは、例えば、種別と種別名称と表示順とコード名称とを項目として有する図３に示すテーブルである。変更区分マスタ１０６ｃは、本社担当者ではなく接客業を中心の店舗担当者が必要最小限の情報を効率的に登録する目的で構築した例えば図２に示す店舗受注入力画面ＭＡに設けられている「商品コードを入力／表示させるための領域」に設定された商品コードが、商品マスタ１０６ｂにおいて、受注計上時に併せて発注も計上することを意味するコード０及び売上仕入という文字列と紐付いている場合に、後述する整合性チェック時に使用するコード（受注区分コードに相当）を取得するために参照される。
【００２６】
項目「種別名称」では、例えば、売上仕入用受注区分などの文字列を管理し、項目「種別」では、当該文字列に対し割り当てられたコード（種別コード）を管理する。項目「表示順」では、例えば、所定の数値（例えば０など）を管理する。項目「コード名称」では、例えば、後述する整合性チェック時に使用するコード（受注区分コードに相当）を管理する。
【００２７】
図１に戻り、チェックマスタ１０６ｄは、例えば、種別と種別名称と表示順とコード名称を項目として有する図４に示すテーブルである。チェックマスタ１０６ｄは、例えば図２に示す画面ＭＡに設けられている受注区分コードを入力／表示させるための領域と商品コードを入力／表示させるための領域に入力可能な受注区分コードと商品コードの正しい組み合わせを管理するためのものである。
【００２８】
項目「種別名称」では、例えば、入力可否商品分類などの文字列を管理し、項目「種別」では、当該文字列に対し割り当てられたコード（種別コード）を管理する。項目「表示順」では、例えば、入力可能な正しい組み合わせを構成する受注区分コードを管理する。項目「コード名称」では、例えば、入力可能な正しい組み合わせを構成する商品分類コードを管理する。
【００２９】
図１に戻り、制御部１０２は、受注入力装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。
【００３０】
制御部１０２は、機能概念的に、本発明の決定手段及び確認手段を含む画面入力制御部１０２ａを有する。
【００３１】
画面入力制御部１０２ａは、図２に示す画面ＭＡの項目「商品コード」の領域内にオペレータにより指定された商品コードと紐付けられている売上仕入区分コードと商品分類コードを商品マスタ１０６ｂから取得する。
【００３２】
画面入力制御部１０２ａは、取得した売上仕入区分コードが受注のみを計上することを意味するものである場合は、取得した商品分類コードと図２に示す画面ＭＡの項目「受注区分」の領域内にオペレータにより指定された受注区分コードの組み合わせが、チェックマスタ１０６ｄに存在するかを確認する。
【００３３】
画面入力制御部１０２ａは、取得した売上仕入区分コードが受注計上時に併せて発注も計上することを意味するものである場合は、取得した商品分類コードと変更区分マスタ１０６ｃの項目「コード名称」で管理されている受注区分コードの組み合わせが、チェックマスタ１０６ｄに存在するかを確認する。
【００３４】
［２．処理］
受注入力装置１００で実行される情報処理の一例について、図５等を参照して説明する。なお、本説明では、図２に示す画面ＭＡがモニタ１１４に表示されているものとする。
【００３５】
オペレータは、画面ＭＡの、受注区分コードを入力／表示させるための領域に、所望の受注区分コードを、入力装置１１２を介して指定する（ステップＳ１）。
【００３６】
画面入力制御部１０２ａは、ステップＳ１で指定された受注区分コードを所定の変数に退避させる（ステップＳ２）。
【００３７】
オペレータは、画面ＭＡの、商品コードを入力／表示させるための領域に、所望の商品コードを、入力装置１１２を介して指定する（ステップＳ３）。
【００３８】
画面入力制御部１０２ａは、ステップＳ３で指定された商品コードと紐付いている売上仕入区分コードを、商品マスタ１０６ｂから取得する（ステップＳ４）。
【００３９】
画面入力制御部１０２ａは、ステップＳ４で取得した売上仕入区分コードが、売上仕入区分名「売上仕入」に割り当てられたコードである場合、所定の変数に格納されている受注区分コード（ステップＳ１でオペレータにより指定された受注区分コード）を、変更区分マスタ１０６ｃの項目「コード名称」で管理されている受注区分コードに置き換える（ステップＳ５）。
【００４０】
画面入力制御部１０２ａは、ステップＳ３で指定された商品コードと紐付いている商品分類コードを、商品マスタ１０６ｂから取得する（ステップＳ６）。
【００４１】
画面入力制御部１０２ａは、所定の変数に格納されている受注区分コード（ステップＳ１でオペレータにより指定された受注区分コード又はステップＳ６で置き換えた後の受注区分コード）とステップＳ６で取得した商品分類コードの組み合わせが、チェックマスタ１０６ｄに存在するかを確認する（ステップＳ７）。
【００４２】
画面入力制御部１０２ａは、ステップＳ７で、この組み合わせが存在することが確認された場合は、チェックＯＫ（受注区分と商品の組み合わせは正しい）と見做して、オペレータに入力作業を続行させる（例えば、画面ＭＡに対するオペレータからの更なる操作を待つ）（ステップＳ８）。
【００４３】
画面入力制御部１０２ａは、ステップＳ７で、この組み合わせが存在しないことが確認された場合は、チェックＮＧ（受注区分と商品の組み合わせは不正）と見做して、例えば「受注区分と商品の組み合わせが不正です」などといったエラーメッセージを、モニタ１１４に表示させる（ステップＳ９）。
【００４４】
［３．本実施形態のまとめ、及び、他の実施形態］
本実施形態では、（１）商品マスタ１０６ｂから取得された、オペレータにより指定された商品コードと紐付けられている売上仕入区分コードが受注のみを計上することを意味するコードである場合は、オペレータにより指定された受注区分コードを確認対象として決定し、当該紐付けられている売上仕入区分コードが受注計上と併せて仕入も計上することを意味するコードである場合は、変更区分マスタ１０６ｃで管理されている受注区分コードを確認対象として決定し、（２）商品マスタ１０６ｂから取得された、オペレータにより指定された商品コードと紐付けられている商品分類コードと（１）で確認対象として決定した受注区分コードの組み合わせが、チェックマスタ１０６ｄに存在するかを確認する。これにより、受注区分と商品分類の組み合わせが正しいかを判断するにあたり、オペレータ指定の商品が受注時に発注も行うものか受注のみ行うものかを判断することで、誤った商品での伝票計上を抑制することを、不要な発注を行うリスクも抑制しつつ実現することができる。
【００４５】
また、本実施形態では、伝票内容（取引区分）と商品属性（マスタ設定）とを比較し、取引内容と指定商品とを比較する。これにより、誤った商品での伝票計上を抑制することができる。例えば、業務上、様々な商品が扱われている一方で取引内容は明確である場合には、上述した入力チェックにより、効率的な入力作業及び確認作業を図ることができる。
【００４６】
入力チェックを施す場合、制御が必要となる条件をシステムに直接組み込む場合が多く見受けられるが、その場合、システム使用ユーザの業務に変わった際、併せてシステムの見直しが求められることがあった。ところが、本実施形態では、入力チェックする内容を別途マスタ管理の外出しとすることで、状況に合わせた汎用的なシステム制御を可能としている。
【００４７】
また、本実施形態では、発注するか否かをマスタ情報から判断し自動発注させることで、発注漏れを抑制することができる。なお、マスタ情報に依存して自動発注を行うことにはマスタ情報の誤設定による不要発注のリスクが伴うので、本実施形態では、自動発注して良いかどうかの判断という位置づけも含め、変更後の受注区分にて整合性チェックを行っている。
【００４８】
また、例えば小売業や卸売業などにおいては、仕入先から、「どれだけの受注（注文）が発生し、それに伴う発注が発生している」という情報の公開が求められる場合がある。さらに、その際、注文量に応じて取引形態や契約が見直される場合もある。そのため、受注に紐付いて発生している発注であるのか単独で発生している発注であるのかを明確にする必要がある。仕入先への情報の公開にて、不透明な情報共有による信頼性欠如を巻き起こさない為にも、本実施形態では整合性チェックを行っている。
【００４９】
本発明は、上述した実施形態以外にも、特許請求の範囲に記載した技術的思想の範囲内において種々の異なる実施形態にて実施されてよいものである。
【００５０】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００５１】
また、本明細書中や図面中で示した処理手順、制御手順、具体的名称、各処理の登録データや検索条件等のパラメータを含む情報、画面例、データベース構成については、特記する場合を除いて任意に変更することができる。
【００５２】
また、受注入力装置１００に関して、図示の各構成要素は機能概念的なものであり、必ずしも物理的に図示の如く構成されていることを要しない。
【００５３】
例えば、受注入力装置１００が備える処理機能、特に制御部にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて受注入力装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００５４】
また、このコンピュータプログラムは、受注入力装置１００に対して任意のネットワークを介して接続されたアプリケーションプログラムサーバに記憶されていてもよく、必要に応じてその全部または一部をダウンロードすることも可能である。
【００５５】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【００５６】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００５７】
記憶部に格納される各種のデータベース等は、ＲＡＭ、ＲＯＭ等のメモリ装置、ハードディスク等の固定ディスク装置、フレキシブルディスク、及び、光ディスク等のストレージ手段であり、各種処理やウェブサイト提供に用いる各種のプログラム、テーブル、データベース、及び、ウェブページ用ファイル等を格納する。
【００５８】
また、受注入力装置１００は、既知のパーソナルコンピュータまたはワークステーション等の情報処理装置として構成してもよく、また、任意の周辺装置が接続された当該情報処理装置として構成してもよい。また、受注入力装置１００は、当該装置に本実施形態で説明した処理を実現させるソフトウェア（プログラムまたはデータ等を含む）を実装することにより実現してもよい。
【００５９】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００６０】
本発明は、特に小売業界や卸売業において有用である。
【符号の説明】
【００６１】
１００  受注入力装置
１０２  制御部
１０２ａ  画面入力制御部
１０４  通信インターフェース部
１０６  記憶部
１０６ａ  取引区分マスタ
１０６ｂ  商品マスタ
１０６ｃ  変更区分マスタ
１０６ｄ  チェックマスタ
１０８  入出力インターフェース部
１１２  入力装置
１１４  出力装置
２００  サーバ
３００  ネットワーク
【図１】
2018077710.tif 000003
【図２】
2018077710.tif 000004
【図３】
2018077710.tif 000005
【図４】
2018077710.tif 000006
【図５】
2018077710.tif 000007